(57)【要約】【課題】従来に比べてより正確な受信予約数を集計可能な技術を提供する。【解決手段】放送番組を受信する受信装置（２０）が放送番組を受信予約した旨を示す受信予約情報を、受信装置から取得する受信予約情報取得部（１４）と、受信予約情報取得部が取得した受信予約情報を参照し、放送予約単位ごとの受信予約数を集計する集計部（１５）と、を備えるサーバ（１０）。【選択図】図１
2015220647.tif 000002
【特許請求の範囲】
【請求項１】
放送番組を受信する受信装置が放送番組を受信予約した旨を示す受信予約情報を、当該受信装置から取得する受信予約情報取得手段と、
上記受信予約情報取得手段が取得した上記受信予約情報を参照し、放送予約単位ごとの受信予約数を集計する集計手段と、を備えることを特徴とするサーバ。
【請求項２】
上記集計手段が集計した集計結果を示す集計結果情報を出力する集計結果出力手段をさらに備えることを特徴とする請求項１に記載のサーバ。
【請求項３】
上記集計結果出力手段は、上記集計結果情報に含まれる各放送番組情報を、各放送番組情報の示す放送番組の受信予約数に応じて並び替えを行う第１の方法を用いて並び替えたものを出力することを特徴とする請求項２に記載のサーバ。
【請求項４】
上記集計結果出力手段は、さらに、上記集計結果情報に含まれる各放送番組情報を、上記第１の方法とは異なる第２の方法を用いて並び替えたものを出力することを特徴とする請求項３に記載のサーバ。
【請求項５】
上記集計結果情報に含まれる各放送番組情報が示す放送番組の詳細情報を取得する詳細情報取得手段と、
上記詳細情報取得手段が取得した詳細情報を、上記集計結果情報に含まれる各放送番組情報に関連付けて管理する詳細情報管理手段と、をさらに備えることを特徴とする請求項２〜４の何れか１項に記載のサーバ。
【請求項６】
上記詳細情報管理手段が各放送番組情報に関連付けて管理する上記詳細情報を出力する詳細情報出力手段をさらに備えることを特徴とする請求項５に記載のサーバ。
【請求項７】
上記集計手段は、上記集計結果情報に含まれる各放送番組情報が示す放送番組が放送中の場合、当該放送番組が放送中であることを示す放送中情報を上記集計結果情報に含めることを特徴とする請求項２〜６の何れか１項に記載のサーバ。
【請求項８】
上記集計手段は、上記集計結果情報に含まれる各放送番組情報が示す放送番組が放送開始間近であることを示す放送開始情報を、当該放送番組の開始時刻の所定の時間前から集計結果情報に含めることを特徴とする請求項２〜７の何れか１項に記載のサーバ。
【請求項９】
上記集計手段は、上記受信予約情報が示す放送番組の開始時刻の所定の時間前から、当該放送番組を示す放送番組情報を集計結果情報に含めないことを特徴とする請求項２〜６の何れか１項に記載のサーバ。
【請求項１０】
上記受信予約情報は、上記放送番組を録画するための受信予約であるか、または上記放送番組を視聴するための受信予約であるか、を示す受信予約形式情報を含むことを特徴とする請求項１〜９の何れか１項に記載のサーバ。
【請求項１１】
上記受信予約情報を出力した受信装置を特定する受信装置特定手段を更に備え、
上記集計結果出力手段は、集計結果情報に含まれる放送番組情報に、上記受信装置特定手段によって特定された受信装置が受信予約している放送番組を示す放送番組情報が含まれている場合、当該特定された受信装置に対して、当該放送番組は受信予約済みであることを示す受信予約済情報をさらに出力することを特徴とする請求項２〜６の何れか１項に記載のサーバ。
【請求項１２】
放送番組を受信する受信装置が放送番組を受信予約した旨を示す受信予約情報を、当該受信装置から取得する受信予約情報取得工程と、
上記受信予約情報取得工程において取得した上記受信予約情報を参照し、放送予約単位ごとの受信予約数を集計する集計工程と、を含むことを特徴とする受信予約集計方法。
【請求項１３】
サーバとしてコンピュータを機能させるための制御プログラムであって、上記コンピュータを、
放送番組を受信する受信装置が放送番組を受信予約した旨を示す受信予約情報を、当該受信装置から取得する受信予約情報取得手段と、
上記受信予約情報取得手段が取得した上記受信予約情報を参照し、放送予約単位ごとの受信予約数を集計する集計手段と、として機能させるための制御プログラム。
【請求項１４】
放送番組を受信する受信装置とサーバとを備えた受信予約集計システムであって、
上記受信装置は、
上記放送番組を受信予約した旨を示す受信予約情報を上記サーバに出力する受信予約情報出力手段を備え、
上記サーバは、
上記受信予約情報を、上記受信装置から取得する受信予約情報取得手段と、
上記受信予約情報取得手段が取得した受信予約情報を参照し、放送予約単位ごとの受信予約数を集計する集計手段と、を備えることを特徴とする受信予約集計システム。
【請求項１５】
放送番組を受信する受信装置であって、
上記放送番組を受信予約した旨を示す受信予約情報を出力する予約情報出力手段を備えることを特徴とする受信装置。
【請求項１６】
上記予約情報出力手段が出力した上記受信予約情報を参照して生成された集計結果を示す集計結果情報を取得する集計結果取得手段と、
上記集計結果取得手段が取得した上記集計結果情報が示す集計結果を表示する表示手段と、を備えることを特徴とする請求項１５に記載の受信装置。
【請求項１７】
放送番組を受信する受信装置であって、
上記放送番組の受信予約数を放送予約単位ごとに集計した集計結果を示す集計結果情報を取得する集計結果取得手段と、
上記集計結果取得手段が取得した上記集計結果情報に含まれる放送番組情報が示す放送番組を受信予約する旨を示す操作を受け付ける操作受付手段と、
上記操作受付手段が受け付けた操作が示す放送番組の受信予約を実行する受信予約手段と、を備えることを特徴とする受信装置。
【請求項１８】
上記受信予約手段は、放送番組の受信予約を実行する場合、当該放送番組は既に受信予約済みであるか否かを判定することを特徴とする請求項１７に記載の受信装置。
【請求項１９】
放送番組の受信予約数を集計した集計結果を示す集計結果情報を取得する集計結果取得手段と、
上記集計結果取得手段が取得した集計結果情報に含まれる各放送番組情報が示す放送番組の番組情報を、放送波を介して取得する番組情報取得手段と、
上記番組情報取得手段が取得した番組情報を、上記集計結果情報に含まれる各放送番組情報に関連付けて管理する番組情報管理手段と、を備えることを特徴とする受信装置。
【請求項２０】
上記集計結果取得手段は、上記集計結果情報に含まれる各放送番組情報が示す放送番組が放送中の場合、当該放送番組が放送中であることを示す放送中情報を上記集計結果情報に含めることを特徴とする請求項１９に記載の受信装置。
【請求項２１】
上記集計結果取得手段は、上記集計結果情報に含まれる各放送番組情報が示す放送番組が放送開始間近であることを示す放送開始情報を、当該放送番組の開始時刻の所定の時間前から集計結果情報に含めることを特徴とする請求項１９または２０に記載の受信装置。
【請求項２２】
上記集計結果取得手段は、上記集計結果情報に含まれる各放送番組情報が示す放送番組の開始時刻の所定の時間前から、当該放送番組を示す放送番組情報を集計結果情報に含めないことを特徴とする請求項１９に記載の受信装置。
【請求項２３】
放送番組を受信する受信装置としてコンピュータを機能させるための制御プログラムであって、上記コンピュータを、上記放送番組を受信予約した旨を示す受信予約情報を出力する予約情報出力手段として機能させるための制御プログラム。
【請求項２４】
放送番組を受信する受信装置としてコンピュータを機能させるための制御プログラムであって、上記コンピュータを、
上記放送番組の受信予約数を放送予約単位ごとに集計した集計結果を示す集計結果情報を取得する集計結果取得手段と、
上記集計結果取得手段が取得した上記集計結果情報に含まれる放送番組情報が示す放送番組を受信予約する旨を示す操作を受け付ける操作受付手段と、
上記操作受付手段が受け付けた操作が示す放送番組の受信予約を実行する受信予約手段と、として機能させるための制御プログラム。
【請求項２５】
放送番組を受信する受信装置としてコンピュータを機能させるための制御プログラムであって、上記コンピュータを、
放送番組の受信予約数を集計した集計結果を示す集計結果情報を取得する集計結果取得手段と、
上記集計結果取得手段が取得した集計結果情報に含まれる各放送番組情報が示す放送番組の番組情報を、放送波を介して取得する番組情報取得手段と、
上記番組情報取得手段が取得した番組情報を、上記集計結果情報に含まれる各放送番組情報に関連付けて管理する番組情報管理手段と、として機能させるための制御プログラム。
【発明の詳細な説明】
【技術分野】
【０００１】
本発明は放送番組の受信予約数を集計するサーバ、受信予約集計方法、当該サーバの制御プログラム、当該サーバと放送番組を受信する受信装置とを備える受信予約集計システム、および当該受信装置に関する。
【背景技術】
【０００２】
近年、ネットワークに接続された、放送番組を受信する受信装置から、当該受信装置に関連する情報を取得する技術が開示されている。
【０００３】
例えば、特許文献１には、ユーザの視聴行動に関する情報をテレビジョン受信装置から外部センタが受信し、受信した情報を分析することにより、視聴者の視聴行動に適したテレビジョン番組の制作または編成等を行うことができる情報提供システムが開示されている。
【０００４】
また、特許文献２には、放送受信装置が視聴者に関する情報である視聴者情報と、放送受信装置および表示装置の接続を示す接続情報とを参照し、視聴者が存在し、かつ放送受信装置および表示装置が接続されている場合に視聴されているチャンネル情報をサーバに送信することにより、正確な視聴情報を収集できる情報収集システムが開示されている。
【先行技術文献】
【特許文献】
【０００５】
【特許文献１】特開２００５−１５１１４８号公報（２００５年６月９日公開）
【特許文献２】国際公開第２０１２／１７６８３６号（２０１２年１２月２７日公開）
【非特許文献】
【０００６】
【非特許文献１】社団法人電波産業会、”衛星デジタル音声放送運用規定  技術資料  ARIB TR-B26  1.2版”、［online］、［２００７年９月２６日］、インターネット（URL：http://www.arib.or.jp/english/html/overview/doc/4-TR-B26v1_2-2p3.pdf）
【発明の概要】
【発明が解決しようとする課題】
【０００７】
しかしながら、上述のような従来技術では、放送番組を受信する受信装置から、ユーザが視聴している放送番組の情報は取得することはできるが、今後放送する放送番組に対するユーザの情報は取得することができない。例えば、今後放送する放送番組のうち、受信予約が多くされていて人気のある放送番組を予め提示することはできない。これは、非特許文献１によると、受信装置が放送波から取り出した放送番組を特定するためのＩＤや、番組名を示す情報（ＳＩ情報）は、送出意図と異なった目的で使用してはならないためであり、またＳＩ情報の送出意図は、チャンネル一覧、番組表、イベント予約などであるため、受信装置は、今後放送する放送番組を特定するためのＩＤ、番組名を示す情報などを、ネットワークに対して出力できないからである。そのため、例えば、ユーザが今後放送する放送番組を受信予約しても、受信予約した放送番組を特定するためのＩＤをネットワークに出力できない。一方、例えば、受信装置以外の装置から、特定の受信装置に対して、受信予約する放送番組の情報を通知することは可能であるが、この場合、受信予約を実行した受信装置から情報を取得する構成ではないため、正確な受信予約数を取得できないという問題がある。
【０００８】
本発明は、上記の課題に鑑みてなされたものであり、その目的は、従来に比べてより正確な受信予約数を集計可能な技術を提供することにある。
【課題を解決するための手段】
【０００９】
上記の課題を解決するために、本発明の一態様に係るサーバは、放送番組を受信する受信装置が放送番組を受信予約した旨を示す受信予約情報を、当該受信装置から取得する受信予約情報取得手段と、上記受信予約情報取得手段が取得した上記受信予約情報を参照し、放送予約単位ごとの受信予約数を集計する集計手段と、を備える。
【００１０】
また、上記の課題を解決するために、本発明の一態様に係る受信予約集計方法は、放送番組を受信する受信装置が放送番組を受信予約した旨を示す受信予約情報を、当該受信装置から取得する受信予約情報取得工程と、上記受信予約情報取得工程において取得した上記受信予約情報を参照し、放送予約単位ごとの受信予約数を集計する集計工程と、を含む。
【００１１】
また、上記の課題を解決するために、本発明の一態様に係る制御プログラムは、サーバとしてコンピュータを機能させるための制御プログラムであって、上記コンピュータを、放送番組を受信する受信装置が放送番組を受信予約した旨を示す受信予約情報を、当該受信装置から取得する受信予約情報取得手段と、上記受信予約情報取得手段が取得した上記受信予約情報を参照し、放送予約単位ごとの受信予約数を集計する集計手段と、として機能させる。
【００１２】
また、上記の課題を解決するために、本発明の一態様に係る受信予約集計システムは、放送番組を受信する受信装置とサーバとを備えた受信予約集計システムであって、上記受信装置は、上記放送番組を受信予約した旨を示す受信予約情報を上記サーバに出力する受信予約情報出力手段を備え、上記サーバは、上記受信予約情報を、上記受信装置から取得する受信予約情報取得手段と、上記受信予約情報取得手段が取得した受信予約情報を参照し、放送予約単位ごとの受信予約数を集計する集計手段と、を備える。
【００１３】
また、上記の課題を解決するために、本発明の一態様に係る受信装置は、放送番組を受信する受信装置であって、上記放送番組を受信予約した旨を示す受信予約情報を出力する予約情報出力手段を備える。
【００１４】
また、上記の課題を解決するために、本発明の一態様に係る受信装置は、放送番組を受信する受信装置であって、上記放送番組の受信予約数を放送予約単位ごとに集計した集計結果を示す集計結果情報を取得する集計結果取得手段と、上記集計結果取得手段が取得した上記集計結果情報に含まれる放送番組情報が示す放送番組を受信予約する旨を示す操作を受け付ける操作受付手段と、上記操作受付手段が受け付けた操作が示す放送番組の受信予約を実行する受信予約手段と、を備える。
【００１５】
また、上記の課題を解決するために、本発明の一態様に係る受信装置は、放送番組の受信予約数を集計した集計結果を示す集計結果情報を取得する集計結果取得手段と、上記集計結果取得手段が取得した集計結果情報に含まれる各放送番組情報が示す放送番組の番組情報を、放送波を介して取得する番組情報取得手段と、上記番組情報取得手段が取得した番組情報を、上記集計結果情報に含まれる各放送番組情報に関連付けて管理する番組情報管理手段と、を備える。
【００１６】
また、上記の課題を解決するために、本発明の一態様に係る制御プログラムは、放送番組を受信する受信装置としてコンピュータを機能させるための制御プログラムであって、上記コンピュータを、上記放送番組を受信予約した旨を示す受信予約情報を出力する予約情報出力手段として機能させる。
【００１７】
また、上記の課題を解決するために、本発明の一態様に係る制御プログラムは、放送番組を受信する受信装置としてコンピュータを機能させるための制御プログラムであって、上記コンピュータを、上記放送番組の受信予約数を放送予約単位ごとに集計した集計結果を示す集計結果情報を取得する集計結果取得手段と、上記集計結果取得手段が取得した上記集計結果情報に含まれる放送番組情報が示す放送番組を受信予約する旨を示す操作を受け付ける操作受付手段と、上記操作受付手段が受け付けた操作が示す放送番組の受信予約を実行する受信予約手段と、として機能させる。
【００１８】
また、上記の課題を解決するために、本発明の一態様に係る制御プログラムは、放送番組を受信する受信装置としてコンピュータを機能させるための制御プログラムであって、上記コンピュータを、放送番組の受信予約数を集計した集計結果を示す集計結果情報を取得する集計結果取得手段と、上記集計結果取得手段が取得した集計結果情報に含まれる各放送番組情報が示す放送番組の番組情報を、放送波を介して取得する番組情報取得手段と、上記番組情報取得手段が取得した番組情報を、上記集計結果情報に含まれる各放送番組情報に関連付けて管理する番組情報管理手段と、として機能させる。
【発明の効果】
【００１９】
本発明の一態様によれば、従来に比べてより正確な受信予約数を集計可能な技術を提供することができる。
【図面の簡単な説明】
【００２０】
【図１】本発明の実施形態１に係る受信予約集計システムを模式的に示す図である。
【図２】本発明の実施形態１における受信予約集計システムの要部構成を示す機能ブロック図である。
【図３】本発明の実施形態１におけるサーバおよび受信装置の構成を示す図である。
【図４】本発明の実施形態１に係る受信予約集計システムにおける処理の流れを示すシーケンス図である。
【図５】本発明の実施形態１における受信予約情報および集計結果情報の例を示すテーブルである。
【図６】本発明の実施形態１における集計結果を示す集計結果画面の一例を示す図である。
【図７】本発明の実施形態１における集計結果を示す集計結果画面の他の例を示す図である。
【図８】本発明の実施形態１における集計結果を示す集計結果画面のさらに他の例を示す図である。
【図９】本発明の実施形態１において表示装置に表示される画面の例を示す図である。
【図１０】本発明の実施形態２に係る受信予約集計システムを模式的に示す図である。
【図１１】本発明の実施形態２における受信予約集計システムの要部構成を示す機能ブロック図である。
【図１２】本発明の実施形態２に係る受信予約集計システムにおける処理の流れを示すシーケンス図である。
【図１３】本発明の実施形態２における集計結果を示す集計結果画面の一例を示す図である。
【図１４】本発明の実施形態２における放送番組に関する詳細な情報を示す詳細表示画面の一例を示す図である。
【図１５】本発明の実施形態２における録画予約画面の一例を示す図である。
【図１６】本発明の実施形態２における録画予約画面の他の例を示す図である。
【図１７】本発明の実施形態２における集計結果を示す集計結果画面の他の例を示す図である。
【図１８】本発明の実施形態２における集計結果を示す集計結果画面のさらに他の例を示す図である。
【図１９】本発明の実施形態３における受信予約集計システムの要部構成を示す機能ブロック図である。
【図２０】本発明の実施形態３に係る受信予約集計システムにおける処理の流れを示すシーケンス図である。
【発明を実施するための形態】
【００２１】
〔実施形態１〕
以下、本発明の実施の形態について、詳細に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００２２】
（受信予約集計システム１）
図１は、本発明の実施形態１に係る受信予約集計システム１を模式的に示す図である。また、図２は、本発明の実施形態１における受信予約集計システム１の要部構成を示す機能ブロック図である。受信予約集計システム１は、図１および図２に示すように、サーバ１０、受信装置２０（２０ａおよび２０ｂ）、および表示装置３０によって構成されている。受信予約集計システム１では、サーバ１０は、受信装置２０から放送番組を受信予約した旨を示す受信予約情報を取得する。そして、サーバ１０は、取得した受信予約情報を参照して放送予約単位ごとの受信予約数を集計し、集計結果を示す集計結果情報を表示装置３０に出力する。
【００２３】
ここで、放送予約単位とは、受信予約を選択可能な単位である。一つの放送番組が放送予約単位となる場合もあるし、一つの放送番組に含まれる複数のコーナーのそれぞれが放送予約単位となる場合もある。
【００２４】
なお、表示装置３０は、集計結果を表示する装置に限定されず、例えば、集計結果を音声出力することによってユーザに集計結果を提示する音声出力装置であってもよい。
【００２５】
また、受信予約とは、受信装置２０が放送番組を受信することを予約することであり、より具体的には、視聴予約または録画予約である。
【００２６】
また、放送番組は地域によって放送される時間帯が異なる場合があるため、本明細書では、サーバ１０は、放送予約単位ごとの受信予約数を、さらに放送局ごとに集計し、受信装置が設置されている地域の放送局以外が放送する放送番組を示す放送番組情報は、出力する集計結果情報に含まない構成とする。
同じ番組表に基づいて放送番組を放送する地域ごとの受信予約数を集計する。
【００２７】
また、受信装置２０は、受信装置２０ａのように、受信予約した放送番組の画像データおよび音声データ（以下、放送番組の画像データおよび音声データを放送番組データと称する）を記憶するためのＨＤＤ（Hard Disk Drive）４０を備える構成であっても、受信装置２０ｂのように、ＨＤＤ４０を備えない構成であってもよい。この場合、受信装置２０ｂは、ＨＤＤ４０に替えて、録画した放送番組を記憶する記憶部（不図示）を備える構成であってもよい。すなわち、受信装置２０は、録画した放送番組を記憶するレコーダであってもよい。さらに、受信装置がテレビの場合、当該テレビに接続されたレコーダを、例えば、ＨＤＭＩ（登録商標）  ＣＥＣによって制御するレコーダ制御部（不図示）を当該テレビが備える構成の場合、テレビとレコーダとを含む構成を受信装置２０としてもよい。この場合、レコードに替えてセットトップボックスをテレビに接続した場合も、同様にテレビとセットトップボックスとを含む構成を受信装置２０としてもよい。
【００２８】
さらに、受信装置２０ｂは、録画した放送番組を保存する記憶部を備えない構成であってもよい。この場合、受信装置２０ｂは録画予約できないため、受信装置２０ｂから出力される受信予約情報は、放送番組を視聴予約した旨を示す受信予約情報である。
【００２９】
続いて、受信予約集計システム１を構成するサーバ１０、受信装置２０、および表示装置３０の詳細について、図２を用いて説明する。
【００３０】
（サーバ１０）
サーバ１０は、図２に示すように、サーバ通信部１１、サーバ制御部１２、および番組基本情報記憶部１３を備えている。
【００３１】
サーバ通信部１１は、ネットワーク２を介して、受信装置２０から受信予約情報を取得し、表示装置３０に集計結果情報を出力する機能を備えている。
【００３２】
番組基本情報記憶部１３には、放送番組に関する情報が記憶されており、具体的には、（１）放送番組名を示す放送番組名情報、（２）当該放送番組を放送する放送局を示す放送局情報、（３）当該放送番組の放送を開始する時刻を示す開始時刻情報、および（４）当該放送番組の放送を終了する時刻を示す終了時刻情報、が少なくとも記憶されている。また、本明細書において、上記（１）〜（４）を番組基本情報と総称する場合もある。なお、番組基本情報は、終了時刻情報に替えて、当該放送番組の番組長を示す番組長情報を含む構成であってもよい。
【００３３】
（サーバ制御部１２）
サーバ制御部１２は、図１に示すように、受信予約情報取得部（受信予約情報取得手段）１４、集計部（集計手段、受信装置特定手段）１５、番組基本情報取得部１６、および出力部（集計結果出力手段）１７としても機能する。
【００３４】
受信予約情報取得部１４は、サーバ通信部１１を制御し、サーバ通信部１１が取得した受信予約情報を取得する。
【００３５】
集計部１５は、受信予約情報取得部１４が取得した受信予約情報を参照し、放送予約単位ごとの受信予約数を集計する。ここで、集計とは、単に放送予約単位ごとの受信予約数を合計することに限定されず、例えば、第１の集計方法として各放送番組の受信予約数に応じて並び替える集計方法、第２の集計方法として日付ごとの放送番組の受信予約数を集計する集計方法、第３の集計方法として正規化した各放送番組の受信予約数に応じて並び替える集計方法、などが挙げられる。
【００３６】
番組基本情報取得部１６は、番組基本情報記憶部１３から、番組基本情報を取得する。
【００３７】
出力部１７は、サーバ通信部１１を制御し、集計部１５が集計した集計結果を示す集計結果情報をサーバ通信部１１から出力する。
【００３８】
（サーバ１０のハードウェア構成）
図３は、本発明の実施形態１におけるサーバ１０および受信装置２０の構成を示す図であり、（ａ）は、サーバ１０のハードウェア構成を示すブロック図である。図３の（ａ）に示すように、サーバ１０は、通信部１１００、制御部１２００、および記憶部１３００を備えている。
【００３９】
通信部１１００は、ネットワーク２を介して受信装置２０および表示装置３０との通信を可能にするためのインターフェースである。通信部１１００は、上述したサーバ通信部１１の機能を実現する。
【００４０】
記憶部１３００は、主記憶部および補助記憶部を備えている。記憶部１３００の主記憶部として利用可能なデバイスとしては、例えば、半導体ＲＡＭ（random access memory）を挙げることができる。また、記憶部１３００の補助記憶部として利用可能なデバイスとしては、例えば、ハードディスクドライブ（ＨＤＤ）を挙げることができ、補助記憶部には、サーバ１０として動作させるための制御プログラムが保存されている。制御プログラムは、サーバ制御部１２の機能を実現するためのプログラムである。
【００４１】
制御部１２００は、記憶部１３００の主記憶上に制御プログラムを展開し、展開された制御プログラムに含まれる各種の命令を実行することによって、上述したサーバ制御部１２の機能を実現する。制御部１２００として利用可能なデバイスとしては、ＣＰＵ（Central Processing Unit）を挙げることができる。
【００４２】
（受信装置２０）
受信装置２０は、図２に示すように、受信装置通信部２１、受信装置制御部２２、および表示部２３を備えている。
【００４３】
受信装置通信部２１は、ネットワーク２を介して、サーバ１０に受信予約情報を出力する機能を備えている。
【００４４】
表示部２３は、受信装置制御部２２から出力される画像信号が示す画像を表示する表示デバイスである。
【００４５】
（受信装置制御部２２）
受信装置制御部２２は、図２に示すように、受信予約情報出力部（受信予約情報出力手段）２４、操作受付部（操作受付手段）２５、受信予約部（受信予約手段）２６、放送番組受信部２７、および表示制御部２８としても機能する。
【００４６】
受信予約情報出力部２４は、受信装置通信部２１を制御し、放送番組を受信予約した旨を示す受信予約情報を、受信装置通信部２１を介して出力する。
【００４７】
操作受付部２５は、放送番組を受信予約する旨を示す操作をユーザから受け付け、当該操作を示す操作信号に変換し、出力する。
【００４８】
受信予約部２６は、放送番組を受信予約する旨の操作信号を取得すると、後述する放送番組受信部２７を制御し、当該放送番組の受信予約を実行する。より具体的には、当該放送番組の開始時刻になると、放送番組受信部２７を制御し、当該放送番組の受信を実行する。当該放送番組の受信予約が視聴予約であった場合、受信予約部２６は、当該放送番組を表示部２３に表示するように放送番組受信部２７を制御する。一方、当該放送番組の受信予約が録画予約であった場合、受信予約部２６は、ＨＤＤ４０に当該放送番組の放送番組データを出力するように放送番組受信部２７を制御する。
【００４９】
また、受信予約部２６は、当該放送番組の受信予約を実行した履歴を記憶する構成であってもよい。この場合、受信予約部２６は、既に受信予約を実行した放送番組を受信予約する旨の操作信号を取得した場合、当該放送番組は既に受信予約済みである旨を示す信号を出力することができる。また、受信予約部２６は、放送番組を示す放送番組情報（放送番組情報の詳細は後述する）を取得し、当該放送番組情報が示す放送番組を受信予約しているか否かを判定し、判定結果を出力することもできる。
【００５０】
また、受信予約部２６は、録画予約する旨の操作信号を取得した場合、録画機器から当該録画機器が録画可能な時間、放送番組データを記憶できる容量といった情報を取得する構成であってもよい。この場合、受信予約部２６は、取得した操作信号が示す録画予約を実行するには録画機器の容量が足りないと判定した場合、録画機器の容量が足りない旨を示す信号を送出することができる。また、受信予約部２６は、ＥＰＧ（Electronic Program Guide）を利用した受信予約を実行してもよい。
【００５１】
放送番組受信部２７は、放送番組を受信する。放送番組受信部２７が受信する放送番組は、放送波を介して放送されるものであってもよいし、ネットワーク経由で配信されるものであってもよい。また、放送番組受信部２７は、ＥＰＧを利用するための情報を、放送波またはネットワーク経由で取得する。なお、放送番組受信部２７が取得するＥＰＧを利用するための情報は、放送番組を特定する情報に加えて、上述した番組基本情報、当該放送番組の詳細情報（詳細は後述）も取得できる。なお、本明細書において、単に「番組情報」と記載した場合、これは、番組基本情報および詳細情報の少なくとも一方を指すものとする。
【００５２】
表示制御部２８は、表示部２３に表示する画像を示す画像信号を出力する。
【００５３】
（受信装置２０のハードウェア構成）
図３の（ｂ）は、受信装置２０のハードウェア構成を示すブロック図である。図３の（ｂ）に示すように、受信装置２０は、通信部２１００、制御部２２００、記憶部２３００、放送番号受信部２４００、操作部２５００、および出力部２６００を備えている。
【００５４】
通信部２１００は、ネットワーク２を介してサーバ１０との通信を可能にするためのインターフェースである。通信部２１００は、上述した受信装置通信部２１の機能を実現する。
【００５５】
記憶部２３００は、主記憶部および補助記憶部を備えている。記憶部２３００の主記憶部として利用可能なデバイスとしては、例えば、半導体ＲＡＭ（random access memory）を挙げることができる。また、記憶部２３００の補助記憶部として利用可能なデバイスとしては、例えば、ハードディスクドライブ（ＨＤＤ）を挙げることができ、補助記憶部には、受信装置２０として動作させるための制御プログラムが保存されている。制御プログラムは、受信装置制御部２２の機能を実現するためのプログラムである。
【００５６】
制御部２２００は、記憶部２３００の主記憶上に制御プログラムを展開し、展開された制御プログラムに含まれる各種の命令を実行することによって、上述した受信装置制御部２２の機能を実現する。制御部２２００として利用可能なデバイスとしては、ＣＰＵ（Central Processing Unit）を挙げることができる。
【００５７】
放送番組受信部２４００は、放送局から送信された放送番組を受信する装置である。具体的には、放送番組受信部２４００は、複数の放送局から送信された放送番組の中から１または複数の放送番組を選択（選局）して受信する。放送番組受信部２４００として利用可能なデバイスとしては、チューナを挙げることができる。
【００５８】
操作部２５００は、受信装置２０を遠隔操作するためのリモートコントローラ、または受信装置２０に設けられた入力デバイスをユーザが操作することにより、ユーザの入力操作を受け付ける。上記入力デバイスの例としては、ボタン、スイッチ、タッチパネルなどが挙げられる。
【００５９】
出力部２６００は、画像信号が示す画像を出力する。出力部２６００は、上述した表示部２３の機能を実現し、例えば、ＬＣＤ（Liquid Crystal Display）、ＰＤＰ（Plasma Display Panel）、ＥＬ（Electroluminescence）ディスプレイなどの表示デバイスを挙げることができる。また、出力部２６００は、音声信号が示す音声を出力する機能も実現し、例えば、スピーカを挙げることができる。
【００６０】
（表示装置３０）
表示装置３０は、図２に示すように、表示装置通信部３１、集計結果取得部３２、表示制御部３３、および表示部３４を備える。
【００６１】
表示装置通信部３１は、ネットワーク２を介して、サーバ１０から集計結果を示す集計結果情報を取得する機能を備えている。
【００６２】
集計結果取得部３２は、表示装置通信部３１を制御し、表示装置通信部３１を介して集計結果情報を取得する。
【００６３】
表示制御部３３は、表示部３４に表示する画像を示す画像信号を出力する。
【００６４】
表示部３４は、表示制御部３３から出力される画像信号が示す画像を表示する表示デバイスである。
【００６５】
（ＨＤＤ４０）
ＨＤＤ４０は、放送番組記憶部４１を備えている。
【００６６】
放送番組記憶部４１は、受信装置２０から出力される放送番組データを取得し、記憶する。
【００６７】
（受信予約集計システム１の処理の流れ）
図４は、本発明の実施形態１に係る受信予約集計システム１における処理の流れを示すシーケンス図である。受信予約集計システム１の処理の流れについて、図４を用いて説明する。
【００６８】
（ステップＳ１）
受信装置２０の操作受付部２５は、放送番組を受信予約する旨を示す操作を受け付ける。操作受付部２５は、受け付けた操作を示す操作信号を、受信予約情報出力部２４および受信予約部２６に出力する。なお、本ステップＳ１は必須ではない。例えば、操作受付部２５が受け付けた操作が、放送番組の受信予約を複数回実行する構成であった場合、受信装置２０は、２回目以降の受信予約についてステップＳ１の処理を実行せず、ステップ２の処理に進む場合もある。なお、複数回の例として、「毎週」、「毎週火曜日全４回」などが挙げられる。
【００６９】
（ステップＳ２）
受信予約情報出力部２４は、放送番組を受信予約する操作を示す操作信号を取得すると、当該操作信号が示す放送番組の受信予約情報を、受信装置通信部２１を介してサーバ１０に出力する。ここで、受信予約情報について、図５を用いて説明する。図５は、本発明の実施形態１における受信予約情報および集計結果情報の例を示すテーブルであり、（ａ）は、受信予約情報の例を示すテーブルである。
【００７０】
図５の（ａ）に示すように、受信予約情報には、端末ＩＤ（TerminalID）、放送局ＩＤ（StationID）、開始時間（StartTime）、および終了時間(EndTime)が含まれる。
【００７１】
端末ＩＤとは、自装置（受信装置２０）を特定するための情報である。なお、受信予約情報は、端末ＩＤを含まない構成であってもよい。
【００７２】
放送局ＩＤとは、受信予約された放送番組を放送する放送局を特定するための情報である。
【００７３】
開始時間とは、受信予約された放送番組の放送を開始する時刻を示す情報である。
【００７４】
終了時間とは、受信予約された放送番組の放送を終了する時刻を示す情報である。
【００７５】
このように、受信予約情報には、受信予約された放送番組を示す情報は含まれていないが、受信予約された放送番組を放送する放送局と、当該放送番組の開始および終了時刻とを特定する情報が含まれるため、サーバ１０は、受信予約情報を参照することにより、受信予約された放送番組を特定することができる。
【００７６】
また、受信予約情報には、放送番組を録画するための受信予約（録画予約）であるか、または放送番組を視聴するための受信予約（視聴予約）であるか、を示す受信予約形式情報を含める構成であってもよい。この場合、サーバ１０は、受信予約の受信予約数に加えて、録画予約の受信予約数および視聴予約の受信予約数も集計することができる。
【００７７】
（ステップＳ３）
サーバ１０の受信予約情報取得部１４は、サーバ通信部１１を介して、受信装置２０から出力された受信予約情報を取得する。受信予約情報取得部１４は、取得した受信予約情報を、集計部１５に出力する。
【００７８】
（ステップＳ４）
集計部１５は、受信予約情報を取得すると、取得した受信予約情報を参照し、放送予約単位ごとの予約数を集計する。そして、集計部１５は、集計した集計結果を示す集計結果情報を生成する。ここで、集計結果情報について、図５を用いて説明する。図５の（ｂ）は、集計結果情報の例を示すテーブルである。
【００７９】
図５の（ｂ）に示すように、集計結果情報には、開始時間（StartTime）、終了時間(EndTime)、放送局ＩＤ（StationID）、および予約台数が含まれる。
【００８０】
開始時間とは、受信予約された放送番組の放送を開始する時刻を示す情報である。
【００８１】
終了時間とは、受信予約された放送番組の放送を終了する時刻を示す情報である。
【００８２】
放送局ＩＤとは、受信予約された放送番組を放送する放送局を特定するための情報である。
【００８３】
なお、受信予約情報の説明において言及したように、開始時間、終了時間、および放送局ＩＤによって放送番組を特定することができるため、集計結果情報に含まれる開始時間、終了時間、および放送局ＩＤを、放送番組を示す放送番組情報と総称する。
【００８４】
予約台数とは、上述した放送番組情報が示す放送番組を受信予約した受信装置２０の台数を示す情報である。なお、集計結果情報は、予約台数に替えて、例えば、上述した第１の集計方法によって並び替えられたランクを示す情報を含む構成であってもよい。また、集計部１５は、後述するステップＳ５において取得する番組基本情報を、集計結果情報に含める構成であってもよい。
【００８５】
（ステップＳ５）
続いて、集計部１５は、集計結果情報に含まれる各放送番組情報を、番組基本情報取得部１６に出力する。番組基本情報取得部１６は、取得した各放送番組情報の番組基本情報を、番組基本情報記憶部１３から取得する。そして、番組基本情報取得部１６は、取得した番組基本情報を、集計部１５に出力する。
【００８６】
なお、上述したステップＳ４およびステップＳ５は、処理の順番を入れ替えて実行されてもよい。この場合、集計部１５は、取得した受信予約情報を番組基本情報取得部１６に出力し、番組基本情報取得部１６は、取得した各放送番組情報の番組基本情報を、番組基本情報記憶部１３から取得する。続いて、集計部１５は、取得した受信予約情報を参照し、放送予約単位ごとの予約数を集計する。また、ステップＳ４およびステップＳ５は、並行して実行されてもよい。
【００８７】
（ステップＳ６）
集計部１５は、集計結果情報を、出力部１７に出力する。上述したように、集計部１５は、ステップＳ５において取得した番組基本情報を含めた集計結果情報を、出力部１７に出力してもよい。出力部１７は、取得した集計結果情報を、サーバ通信部１１を介して表示装置３０に出力する。
【００８８】
（ステップＳ７）
表示装置３０の集計結果取得部３２は、表示装置通信部３１を介して、サーバ１０から集計結果情報を取得する。そして、集計結果取得部３２は、取得した集計結果情報を表示制御部３３に出力する。
【００８９】
（ステップＳ８）
表示制御部３３は、集計結果情報を取得すると、集計結果情報が示す集計結果を表示部３４に出力するため、集計結果を示す画像信号を、表示部３４に出力する。表示部３４は、取得した画像信号が示す集計結果を表示する。
【００９０】
（集計結果の表示例１）
表示装置３０が表示する集計結果の一例を、図６を用いて説明する。図６は、本発明の実施形態１における集計結果を示す集計結果画面５０の一例を示す図である。
【００９１】
図６に示すように、表示装置３０は、放送予約単位ごとの受信予約数を集計した集計結果を示す集計結果画面５０を表示する。集計結果画面５０には、集計結果画面５０に含まれる放送番組の放送を開始する期間５１、集計した地域を示す集計地域５２、および放送番組に関する情報５３が含まれている。
【００９２】
放送番組に関する情報５３は、上述したステップＳ４において、集計部１５が番組基本情報を集計結果に含めた場合、当該番組基本情報が示す各データが表示される。そのため、放送番組に関する情報５３には、当該放送番組の放送番組名、当該放送番組を放送する放送局、当該放送番組の開始時刻、および当該放送番組の終了時刻が含まれる。
【００９３】
また、上述したステップＳ４において、集計部１５が集計部１５が番組基本情報を集計結果に含めない場合であっても、表示装置３０が、本実施形態においてサーバ１０が備える番組基本情報取得部１６と同様の機能を備えることにより、集計結果情報を参照して放送番組に関する情報５３を表示可能である。この場合、表示装置３０が備える番組基本情報取得部は、放送波を介して番組基本情報を取得する構成であってもよい。
【００９４】
（集計結果の表示例２）
図７は、本発明の実施形態１における集計結果を示す集計結果画面５０の他の例を示す図であり、図８は、本発明の実施形態１における集計結果を示す集計結果画面５０のさらに他の例を示す図である。時間の経過とともに集計部１５が出力する集計結果情報を変化させる例について、図７および図８を用いて説明する。
【００９５】
集計部１５は、取得した受信予約情報が示す放送番組の開始時刻の所定の時間前から、当該放送番組を示す放送番組情報を集計結果情報に含めない構成であってもよい。例えば、所定の時間を２分とした場合、集計部１５は、２０１４年５月１３日の１８：５８になると、２０１４年５月１３日の１９：００から放送開始となる放送番組を示す放送番組情報を集計結果情報に含めない集計結果情報を出力する。この場合、２０１４年５月１３日の１８：５７の時点では、表示装置３０は、図７の（ａ）に示す集計結果画面５０を表示する。そして、２０１４年５月１３日の１８：５８になると、表示装置３０は、図７の（ｂ）に示すように、２０１４年５月１３日の１９：００以前に放送開始となる放送番組を含まない集計結果画面５０を表示する。
【００９６】
また、集計部１５は、集計結果情報に含まれる各放送番組情報が示す放送番組が放送中の場合、当該放送番組が放送中であることを示す放送中情報を上記集計結果情報に含める構成であってもよい。例えば、集計部１５は、２０１４年５月１３日の１９：００になると、２０１４年５月１３日の１９：００から放送を開始する放送番組が放送中であることを示す放送中情報を含めた集計結果情報を出力する。この場合、２０１４年５月１３日の１８：５９の時点では、表示装置３０は、図７の（ａ）に示す集計結果画面５０を表示する。そして、２０１４年５月１３日の１９：００になると、表示装置３０は、図７の（ｃ）に示すように、放送中であることを示す画像５４を含めた集計結果画面５０を表示する。
【００９７】
また、集計部１５は、集計結果情報に含まれる各放送番組情報が示す放送番組が放送開始間近であることを示す放送開始情報を、当該放送番組の開始時刻の所定の時間前から集計結果情報に含める構成であってもよい。例えば、所定の時間を２分とした場合、集計部１５は、２０１４年５月１３日の１８：５８になると、２０１４年５月１３日の１９：００から放送を開始する放送番組が放送開始間近であることを示す放送開始情報を含めた集計結果情報を出力する。この場合、２０１４年５月１３日の１８：５７の時点では、表示装置３０は、図７の（ａ）に示す集計結果画面５０を表示する。そして、２０１４年５月１３日の１８：５８になると、表示装置３０は、図８の（ａ）に示すように、放送開始間近であることを示す画像５５を含めた集計結果画面５０を表示する。
【００９８】
また、集計部１５は、上述したように、正規化した受信予約数を集計する第３の集計方法によって受信予約数を集計することができる。第３の集計方法の例として、例えば、集計部１５は、ある日に受信予約された受信予約数から、当該ある日の前日に受信予約された受信予約数を引いた差を集計する。こうすることにより、受信予約数の日毎の増減を反映した放送番組のランクを決定することができる。この場合、例えば、表示装置３０は、第３の集計方法によって集計された集計方法を表示するため、図６に示した集計結果画面５０に「盛り上がりランキング表示」ボタンを表示し、ユーザが「盛り上がりランキング表示」ボタンを選択した操作を受け付けると、サーバ１０に対して、第３の集計方法によって集計した集計結果情報を出力するよう要求する。サーバ１０は、第３の集計方法によって集計した集計結果情報を表示装置３０に出力すると、表示装置３０は、図８の（ｂ）に示すように、「盛り上がりランキング」を示す集計結果画面５０を表示する。
【００９９】
なお、第３の集計方法には、上述した集計方法以外に、例えば、今日から放送開始日までの日数に１を足した和を、ＥＰＧの期間（例えば７日）＋１で割り、予約台数を掛けた積の値を算出する方法（第４の集計方法）も挙げることができる。この方法により、１日当たりの予約台数を算出することができる。
【０１００】
なお、上記第１〜第４の集計方法の何れかを、単に第１の方法とも呼称し、上記第１〜第４の集計方法のうち、当該第１の方法とは異なる集計方法を第２の方法とも呼称する。
【０１０１】
なお、図７の（ｂ）、（ｃ）、および図８の（ａ）に示した、時間の経過とともに表示する集計結果画面５０を変更する処理は、表示装置３０が実行する構成であってもよい。例えば、表示装置３０が、図７の（ａ）に示す集計結果画面５０を、取得した集計結果情報が示す集計結果として表示している場合、２０１４年５月１３日の１８：５８になると、集計結果取得部３２は、集計結果情報に含まれている各放送番組情報のうち、２０１４年５月１３日の１９：００から放送を開始する放送番組情報を含まない集計結果情報を、表示制御部３３に出力する。表示制御部３３は、取得した集計結果情報が示す集計結果を、図７の（ｂ）に示す集計結果画面５０のように表示部３４に表示する構成であってもよい。
【０１０２】
また、例えば、表示装置３０が図７の（ａ）に示す集計結果画面５０を表示している場合、２０１４年５月１３日の１９：００になると、集計結果取得部３２は、集計結果情報に含まれている各放送番組情報のうち、２０１４年５月１３日の１９：００から放送を開始する放送番組情報に放送中情報を含めた集計結果情報を、表示制御部３３に出力する。表示制御部３３は、取得した集計結果情報が示す集計結果を、図７の（ｃ）に示す集計結果画面５０のように表示部３４に表示する構成であってもよい。
【０１０３】
また、例えば、表示装置３０が図７の（ａ）に示す集計結果画面５０を表示している場合、２０１４年５月１３日の１８：５８になると、集計結果取得部３２は、集計結果情報に含まれている各放送番組情報のうち、２０１４年５月１３日の１９：００から放送を開始する放送番組情報に放送開始情報を含めた集計結果情報を、表示制御部１２８に出力する。表示制御部３３は、取得した集計結果情報が示す集計結果を、図８の（ａ）に示す集計結果画面５０のように表示部３４に表示する構成であってもよい。
【０１０４】
また、図４に示す受信予約集計システム１において、サーバ１０は、受信予約情報を取得すると、集計結果をプッシュ出力する構成としているが、これに限定されない。例えば、サーバ１０は、所定の間隔（例えば３０分、１時間など）で集計結果情報を出力する構成であってもよい。また、表示装置３０からサーバ１０に対して集計結果情報の出力を要求する構成であってもよい。表示装置３０からサーバ１０に対して集計結果情報の出力を要求する構成について、図９を用いて説明する。
【０１０５】
図９は、本発明の実施形態１において表示装置３０に表示される画面の例を示す図であり、（ａ）は、表示装置３０のメニュー画面５７の例であり、（ｂ）は、表示装置３０のブラウザ起動時の初期画面５９の例であり、（ｃ）は、受信予約集計システム１の利用を促す画像６０の例である。
【０１０６】
表示装置３０からサーバ１０に対して集計結果情報の出力を要求する構成の場合、例えば、図９の（ａ）に示すように、表示装置３０が備える各機能（例えば、表示装置３０がテレビの場合、入力切替、番組表表示など）を利用するために表示されるメニュー画面５７において、表示装置３０は、視聴予約の集計結果を表示するための選択項目５７および録画予約の集計結果を表示するための選択項目５８を含めたメニュー画面５７を表示する。この場合、ユーザが、選択項目５７を選択する操作（例えば、ユーザがリモコンを操作し、選択項目５７にカーソルを合わせ、リモコンの決定ボタンを押すなど）をした場合、表示装置３０はサーバ１０に対して視聴予約の集計結果情報を出力するよう要求する構成としてもよい。
【０１０７】
また、例えば、図９の（ｂ）に示すように、表示装置３０が備えるブラウザを起動させたときに表示される初期画面５９において、表示装置３０は、視聴予約の集計結果を表示するためのアイコン５７および録画予約の集計結果を表示するためのアイコン５８を含めた初期画面５９を表示する。この場合、ユーザがアイコン５８を選択する操作（例えば、ユーザがリモコンを操作し、アイコン５８にカーソルを合わせ、リモコンの決定ボタンを押すなど）をした場合、表示装置３０はサーバ１０に対して録画予約の集計結果情報を出力するよう要求する構成としてもよい。
【０１０８】
また、受信予約集計システム１を利用したいユーザを登録制とし、図９の（ａ）における選択項目の１つとして、図９の（ｃ）に示すような、受信予約集計システム１の利用を促す画像６０を含む選択項目を含んだメニュー画面を表示する構成であってもよい。また、図９の（ｂ）におけるアイコンの１つとして、図９の（ｃ）に示すような、受信予約集計システム１の利用を促す画像６０を含むアイコンを含んだ初期画面を表示する構成であってもよい。
【０１０９】
このように、本実施形態に係る受信予約集計システム１では、サーバ１０は、放送番組を受信する受信装置２０から受信予約情報を取得し、取得した受信予約情報を参照して放送予約単位ごとの受信予約数を集計する。そして、サーバ１０は、集計結果を示す集計結果情報を表示装置３０に出力し、表示装置３０は、集計結果情報が示す集計結果を表示する。したがって、受信予約集計システム１は、放送番組を受信する受信装置２０から受信予約情報を取得できるので、従来に比べてより正確な受信予約数を集計することができる。
【０１１０】
なお、サーバ１０は、複数のサーバによって構成されてもよい。例えば、サーバ通信部１１、受信予約情報取得部１４、および出力部１７を備える予約情報集積サーバと、サーバ通信部１１および集計部１５を備える受信予約集計サーバと、サーバ通信部１１、番組基本情報取得部１６、および番組基本情報記憶部１３を備える番組基本情報サーバと、によって構成されてもよい。この場合、予約情報集積サーバは、受信装置２０から受信予約情報を取得し、取得した受信予約情報を受信予約集計サーバに出力する。受信予約集計サーバは、受信予約数を集計し、集計結果情報に含まれる各放送番組情報を、番組基本情報サーバに出力する。番組基本情報サーバは、取得した各放送番組情報の番組基本情報を受信予約集計サーバに出力し、受信予約集計サーバは、集計結果情報を、予約情報集積サーバに出力する。予約情報集積サーバは、取得した集計結果情報を、表示装置３０に出力する。
【０１１１】
また、サーバ１０は、サーバ通信部１１、受信予約情報取得部１４、集計部１５、および出力部１７を備える予約情報集積集計サーバと、サーバ通信部１１、番組基本情報取得部１６、および番組基本情報記憶部１３を備える番組基本情報サーバと、によって構成されてもよい。この場合、予約情報集積集計サーバは、受信装置２０から受信予約情報を取得し、受信予約数を集計し、集計結果に含まれる各放送番組情報を、番組基本情報サーバに出力する。番組基本情報サーバは、取得した各放送番組情報の番組基本情報を予約情報集積集計サーバに出力し、予約情報集積集計サーバは集計結果情報を表示装置３０に出力する。
【０１１２】
また、サーバ１０は、サーバ通信部１１、受信予約情報取得部１４、および出力部１７を備える予約情報集積サーバと、サーバ通信部１１、集計部１５、番組基本情報取得部１６、および番組基本情報記憶部１３を備える受信予約集計番組基本情報サーバと、によって構成されてもよい。この場合、予約情報集積サーバは、受信装置２０から受信予約情報を取得し、取得した受信予約情報を受信予約集計番組基本情報サーバに出力する。受信予約集計番組基本情報サーバは、受信予約数を集計し、集計結果情報に含まれる各放送番組情報の番組基本情報を取得し、集計結果情報を、予約情報集積サーバに出力する。予約情報集積サーバは、取得した集計結果情報を、表示装置３０に出力する。
【０１１３】
このように、サーバ１０を、サーバ１０が備える各部をそれぞれ備えた複数のサーバによって構成し、各サーバがサーバ通信部１１を介して情報を送受信することにより、サーバ１０と同じ機能を実現することができる。
【０１１４】
また、図１に示す受信予約集計システム１では、受信装置２０は、受信装置２０ａおよび２０ｂの２台であるが、本発明において、受信装置の数は限定されず、受信予約集計システム１は、受信装置２０を１または複数備える構成であればよい。
【０１１５】
〔実施形態２〕
本発明の他の実施形態について、図１０〜図１７に基づいて説明すれば、以下のとおりである。なお、説明の便宜上、前記実施形態にて説明した部材と同じ機能を有する部材については、同じ符号を付記し、その説明を省略する。
【０１１６】
（受信予約集計システム１０１）
図１０は、本発明の実施形態２に係る受信予約集計システム１０１を模式的に示す図である。また、図１１は、本発明の実施形態２における受信予約集計システム１０１の要部構成を示す機能ブロック図である。実施形態１では、サーバ１０は集計結果情報を表示装置３０に出力したが、本実施形態では、受信予約情報を出力する受信装置１２０に集計結果情報を出力する。すなわち、本実施形態における受信装置１２０は、実施形態１における受信装置２０および表示装置３０の機能を備えていると言うことができる。
【０１１７】
（サーバ１１０）
サーバ１１０は、図１１に示すように、実施形態１におけるサーバ１０のサーバ制御部１２に替えて、サーバ制御部１１２を備え、番組詳細情報記憶部１１１をさらに備える構成になっている。
【０１１８】
番組詳細情報記憶部１１１には、放送番組に関する詳細な番組詳細情報が記憶されている。番組詳細情報とは、具体的には、（１）放送番組に出演する出演者を示す出演者情報、（２）放送番組に関連した情報を示す関連情報、（３）放送番組の内容を示す番組内容情報、が挙げられるが、これらに限定されず、番組詳細情報記憶部１１１にはさらに、番組基本情報が記憶されている構成であってもよい。この場合、番組詳細情報および番組基本情報はそれぞれ別々に放送番組と関連付けられ、例えば、番組詳細情報のテーブルおよび番組基本情報のテーブルとして記憶されていてもよいし、番組詳細情報および番組基本情報が一緒に放送番組と関連付けられ、例えば、１つのテーブルとして記憶されていてもよい。
【０１１９】
（サーバ制御部１１２）
サーバ制御部１１２は、図１１に示すように、実施形態１におけるサーバ制御部１２の機能に加えて、番組詳細情報取得部（詳細情報取得手段）１１３および番組詳細情報管理部（詳細情報管理手段）１１４としても機能する。また、実施形態１における出力部１７の機能に替えて、出力部（集計結果出力手段、詳細情報出力手段）１１７としても機能する。
【０１２０】
番組詳細情報取得部１１３は、集計結果情報に含まれる各放送番組情報が示す放送番組の番組詳細情報を、番組詳細情報記憶部１１１から取得する。なお、サーバ制御部１１２は、番組基本情報取得部１６に替えて、番組基本情報取得部１６の機能を備えた番組詳細情報取得部１１３として機能してもよい。この場合、番組詳細情報取得部１１３は、１回の問い合わせ（ＱＵＥＲＹ）で、番組詳細情報および番組基本情報を取得することができる。
【０１２１】
番組詳細情報管理部１１４は、番組詳細情報取得部１１３が取得した詳細情報を、集計結果情報に含まれる各放送番組情報に関連付けて管理する。
【０１２２】
出力部１１７は、サーバ通信部１１を制御し、集計部１５が集計した集計結果を示す集計結果情報と、番組詳細情報管理部１１４が管理する詳細情報とを出力する。
【０１２３】
（受信装置１２０）
受信装置１２０は、図１１に示すように、実施形態１における受信装置２０の受信装置制御部２２に替えて、受信装置制御部１２２をそなえている。
【０１２４】
（受信装置制御部１２２）
受信装置制御部１２２は、図１１に示すように、実施形態１における受信装置制御部２２の機能に加えて、集計結果取得部（集計結果取得手段）１２１としても機能する。また、実施形態１における表示制御部２８の機能に替えて、表示制御部（表示手段）１２８としても機能する。
【０１２５】
集計結果取得部１２１は、受信装置通信部２１を制御し、受信装置通信部２１を介して集計結果情報および詳細情報を取得する。
【０１２６】
表示制御部１２８は、表示部３４に表示する画像を示す画像信号を出力する。
【０１２７】
（受信予約集計システム１０１の処理の流れ）
図１２は、本発明の実施形態２に係る受信予約集計システム１０１における処理の流れを示すシーケンス図である。受信予約集計システム１０１の処理の流れについて、図１２を用いて説明する。
【０１２８】
受信装置１２０が放送番組を受信予約する旨を示す操作を受け付け、受信予約情報をサーバ１１０に出力し、サーバ１１０が受信予約数を集計し、放送番組の番組基本情報を取得するステップＳ１〜ステップＳ５の処理については、上述した処理と同じであるため、説明を省略する。
【０１２９】
（ステップＳ１０）
サーバ１１０の番組基本情報取得部１６は、ステップＳ５において取得した各放送番組情報を、番組詳細情報取得部１１３に出力する。番組詳細情報取得部１１３は、取得した各放送番組が示す放送番組の詳細情報を、番組詳細情報記憶部１１１から取得する。そして、番組詳細情報取得部１１３は、各放送番組情報と取得した詳細情報とを、番組詳細情報管理部１１４に出力する。番組詳細情報管理部１１４は、取得した各放送番組情報と詳細情報とを関連付けて管理する。
【０１３０】
（ステップＳ１１）
集計部１５は、集計結果情報を出力部１１７に出力する。また、番組詳細情報管理部１１４は、各放送番組情報に関連付けて管理する詳細情報を、出力部１１７に出力する。出力部１１７は、取得した集計結果情報および詳細情報を、サーバ通信部１１を介して受信装置１２０に出力する。
【０１３１】
（ステップＳ１２）
受信装置の集計結果取得部１２１は、受信装置通信部２１を介して、サーバ１１０から集計結果情報および詳細情報を取得する。そして、集計結果取得部１２１は、取得した集計結果情報および詳細情報を表示制御部１２８に出力する。
【０１３２】
(ステップＳ１３）
表示制御部１２８は、集計結果情報および詳細情報を取得すると、集計結果情報が示す集計結果および詳細情報が示す放送番組に関する詳細な情報を表示部２３に出力するため、画像信号を表示部２３に出力する。表示部２３は、取得した画像信号が示す画像を表示する。
【０１３３】
（集計結果および放送番組に関する詳細な情報の表示例１）
図１３は、本発明の実施形態２における集計結果を示す集計結果画面１５０の一例を示す図である。
【０１３４】
図１３に示すように、受信装置１２０は、実施形態１における集計結果画面５０に加えて、詳細表示ボタン６１、録画予約ボタン６２、および視聴予約ボタン６３を備えている集計結果画面１５０を表示する。
【０１３５】
詳細表示ボタン６１は、当該放送番組に関する詳細な情報を表示部２３に出力する旨の操作を受け付けるボタンである。詳細表示ボタン６１が選択された場合に表示される画面については、参照する図面を替えて後述する。
【０１３６】
録画予約ボタン６２は、当該放送番組を録画予約する旨の操作を受け付けるボタンである。録画予約ボタン６２が選択された場合に表示される画面については、参照する図面を替えて後述する。
【０１３７】
視聴予約ボタン６３は、当該放送番組を視聴予約する旨の操作を受け付けるボタンである。
【０１３８】
（詳細表示画面７６）
図１４は、本発明の実施形態２における放送番組に関する詳細な情報を示す詳細表示画面７６の一例を示す図である。
【０１３９】
受信装置１２０では、図１３に示す詳細表示ボタン６１が選択されると、集計結果取得部１２１が取得した詳細情報を含む詳細表示画面７６を、表示制御部１２８が表示部２３に表示する。詳細表示画面７６には、図１４の（ａ）に示すように、放送番組に関する情報５３に加えて、詳細情報に含まれる出演者情報が示す出演者７７、詳細情報に含まれる関連情報が示す放送番組に関連した情報７８、および詳細情報に含まれる番組内容情報を示す情報８０が含まれている。また、詳細表示画面７６に録画予約ボタン６２を含めることにより、ユーザが詳細表示画面７６の画面を参照し、録画予約したいと思ったときに、ユーザに煩雑な操作を強いることなく、容易に録画予約する旨の操作を受け付けることができる。なお、録画予約ボタン６２に加えて、視聴予約ボタン６３を含めた構成であってもよい。
【０１４０】
また、例えば、サーバ１１０の番組詳細情報記憶部１１１に、当該放送番組の詳細情報が記憶されていなかった場合など、集計結果取得部１２１が詳細情報を取得できなかった場合、図１４の（ｂ）に示すように、受信装置２０は、詳細情報を取得できなかった旨を示す画像７９を含めた詳細表示画面７６を表示してもよい。また、集計結果取得部１２１が詳細情報を取得できなかった場合、図１３に示す集計結果画面１５０において、詳細表示ボタン６１を無効にする構成であってもよい。
【０１４１】
（録画予約画面６８）
図１５は、本発明の実施形態２における録画予約画面６８の一例を示す図である。また、図１６は、本発明の実施形態２における録画予約画面６８の他の例を示す図である。
【０１４２】
受信装置１２０は、図１３に示す録画予約ボタン６２が選択されると、表示制御部１２８は、当該放送番組を録画予約するための録画予約画面６８を表示部２３に表示する。録画予約画面６８には、図１５の（ａ）に示すように、放送番組に関する情報５３に加えて、当該放送番組を録画する機器を選択するための録画機器選択項目６９、当該放送番組を録画する画質を選択するための録画モード選択項目７０、録画予約を実行するための録画予約決定ボタン７６が含まれている。
【０１４３】
録画予約画面６８において、録画予約決定ボタン７６が選択されると、受信予約部２６は、当該放送番組の予約を実行する。ここで、既に当該放送番組が録画予約されている場合、表示制御部１２８は、図１５の（ｂ）に示すように、当該放送番組は既に録画予約済みであることを示す画像７１を含む録画予約画面６８を表示する。
【０１４４】
また、録画予約画面６８において、録画予約決定ボタン７６が選択され、当該放送番組の録画予約が完了した場合、表示制御部１２８は、当該放送番組を録画する機器を示す画像７２および録画する画質を示す画像７３を含んだ録画予約画面６８を表示する。
【０１４５】
また、録画予約画面６８において、録画予約決定ボタン７６が選択され、当該放送番組の録画予約に失敗した場合、表示制御部１２８は、当該放送番組の録画予約に失敗したことを示す画像７４と、当該放送番組の録画予約に失敗した原因を示す画像７５とを含んだ録画予約画面６８を表示する。なお、録画予約に失敗した原因の例として、録画機器の空き容量が不足している場合も挙げることができる。
【０１４６】
（集計結果の表示例３）
図１７は、本発明の実施形態２における集計結果を示す集計結果画面１５０の他の例を示す図であり、図１８は、本発明の実施形態２における集計結果を示す集計結果画面１５０のさらに他の例を示す図である。本実施形態において受信装置１２０が時間の経過とともに表示する集計結果画面１５０を変更する処理を、図１７および図１８を用いて説明する。なお、集計結果情報を変更する処理（放送開始間近の放送番組を示す放送番組情報を集計結果情報に含めない処理、放送中であることを示す放送中情報を集計結果情報に含める処理、および放送開始間近であることを示す放送開始情報を集計結果情報に含める処理）は、実施形態１と同様、サーバ１１０の集計部１５が実行してもよいし、受信装置１２０の集計結果取得部１２１が実行してもよい。なお、図１７および図１８において、録画予約ボタン６２に替えて当該放送番組を視聴予約する旨の操作を受け付ける視聴予約ボタンであってもよいし、録画予約ボタン６２と並べて、視聴予約ボタンが表示される構成であってもよい。
【０１４７】
例えば、受信装置１２０が、図１７の（ａ）に示すように、録画予約ボタン６２に含む集計結果画面１５０を表示している場合、２０１４年５月１３日の１８：５８になると、受信装置１２０は、図１７の（ｂ）に示すように、２０１４年５月１３日の１９：００以前に放送開始となる放送番組を含まない集計結果画面１５０を表示する。
【０１４８】
また、例えば、受信装置１２０が、図１７の（ａ）に示すように、録画予約ボタン６２に含む集計結果画面１５０を表示している場合、２０１４年５月１３日の１９：００になると、受信装置１２０は、図１７の（ｃ）に示すように、２０１４年５月１３日の１９：００から放送を開始する放送番組が放送中であることを示す画像５４と、当該放送番組の録画予約の操作を無効とする録画予約無効ボタン６４とを含めた集計結果画面１５０を表示する。また、この場合、受信装置１２０は、図１７の（ｄ）に示すように、録画予約無効ボタン６４に替えて、これから録画を実行することができる今すぐ録画ボタン６５を含めた集計結果画面１５０を表示してもよい。さらに、この場合、図示していないが、受信装置１２０は、当該放送番組の録画操作を受け付けるボタンを表示しない構成であってもよい。
【０１４９】
また、例えば、図１７の（ａ）に示すように、受信装置１２０が録画予約ボタン６２に含む集計結果画面１５０を表示している場合、２０１４年５月１３日の１８：５８になると、図１８の（ａ）に示すように、受信装置１２０は２０１４年５月１３日の１９：００以前に放送開始となる放送番組を含まない集計結果画面１５０を表示する。
【０１５０】
また、例えば、実施形態１において説明したように、集計部１５が正規化した受信予約数を集計する第３の集計方法によって集計した集計結果情報をサーバ１１０が出力した場合においても、図１８の（ｄ）に示すように、受信装置１２０は、録画予約ボタン６２を含めた集計結果画面１５０を表示する。
【０１５１】
（集計結果の表示例４）
本実施形態において、既に受信予約済みである放送番組を示す放送番組情報を含む集計結果情報を受信装置１２０が取得した場合に、受信装置１２０が表示する集計結果画面１５０について、図１８の（ｂ）および（ｃ）を用いて説明する。
【０１５２】
まず、受信装置１２０の受信予約部２６は、受信装置１２０が取得した集計結果情報に含まれる各放送番組情報が示す放送番組が受信予約済みであるか否かを判定する。受信予約部２６が、受信予約済みの放送番組があると判定した場合、表示制御部１２８は、図１８の（ｂ）に示すように、当該放送番組は受信予約済みであることを示す画像６６を含む集計結果画面１５０を表示部２３に表示する。この場合、表示制御部１２８はさらに、図１８の（ｂ）に示すように、録画予約ボタン６２を録画予約無効ボタン６４に変更した集計結果画面１５０を表示してもよい。
【０１５３】
また、受信予約部２６が、受信予約済みの放送番組があると判定した場合、表示制御部１２８は、録画予約ボタン６２を表示し、録画予約ボタン６２が選択されたことを示す操作信号を取得した場合に、図１８の（ｃ）に示すように、当該放送番組は受信予約済みであることを示す画像６７を表示する構成であってもよい。この場合、図１８の（ｃ）に示すように、当該放送番組は受信予約済みであることを示す画像６６を表示する構成であってもよい。
【０１５４】
なお、上述した集計結果画面１５０の説明では、集計結果情報に含まれる各放送番組情報が示す放送番組が受信予約済みであるか否かを、受信装置１２０の受信予約部２６が実行したが、サーバ１１０が、集計結果情報の出力と共に、放送番組が受信予約済みであることを示す受信予約済情報を出力する構成であってもよい。
【０１５５】
例えば、サーバ１１０の受信予約情報取得部１４は、受信装置１２０から、受信装置１２０を特定するための端末ＩＤを含めた受信予約情報を取得する。集計部１５は、取得した受信予約情報に含まれる端末ＩＤごとに、取得した受信予約情報を管理する。そして、出力部１７は、管理している端末ＩＤが示す受信装置１２０に集計結果情報を出力する場合、当該端末ＩＤが示す受信装置１２０が受信予約した放送番組が、出力する集計結果情報に含まれる放送番組情報が示す放送番組と一致するか否かを判定する。出力部１７は、受信装置１２０が受信予約した放送番組が、出力する集計結果情報に含まれる放送番組情報が示す放送番組と一致すると判定した場合、当該放送番組は受信予約済みであることを示す受信予約済情報を、集計結果情報と共に受信装置１２０に出力する。
【０１５６】
受信装置１２０は、集計結果情報と受信予約済情報とを取得すると、表示制御部１２８は、取得した受信予約済情報を参照し、図１８の（ｂ）に示すように、当該放送番組は受信予約済みであることを示す画像６６を含む集計結果画面１５０や、図１８の（ｃ）に示すように、録画予約ボタン６２が選択されたことを示す操作信号を取得した場合に、当該放送番組は受信予約済みであることを示す画像６７を表示する構成であってもよい。
【０１５７】
このように、本実施形態に係る受信予約集計システム１０１では、サーバ１１０は、放送番組に関する詳細な情報を、集計結果情報と共に出力することができる。そのため、受信予約集計システム１０１は、集計結果と共に、集計結果に含まれる放送番組の詳細な情報をユーザに提供することができる。
【０１５８】
また、本実施形態に係る受信予約集計システム１０１では、サーバ１１０は、受信装置１２０から受信予約情報を取得し、受信装置１２０に集計結果情報を出力する。そのため、受信予約集計システム１０１では、集計結果を表示する画面から受信予約を受け付けることができる。また、受信予約集計システム１０１では、表示している集計結果に含まれている放送番組を既に受信装置１２０が受信予約していることを、ユーザに知らせることができる。
【０１５９】
なお、実施形態１と同様、実施形態２におけるサーバ１１０も、複数のサーバによって構成されてもよい。実施形態１において説明した予約情報集積サーバ、受信予約集計サーバ、および番組基本情報サーバに加えて、サーバ通信部１１、番組詳細情報記憶部１１１、番組詳細情報取得部１１３、および番組詳細情報管理部１１４を備える番組詳細情報サーバによって構成されてもよい。この場合、番組詳細情報サーバは、番組基本情報サーバから放送番組情報を取得し、当該放送番組情報が示す放送番組の詳細情報を、予約情報集積サーバに出力する。
【０１６０】
〔実施形態３〕
本発明の他の実施形態について、図１９に基づいて説明すれば、以下のとおりである。なお、説明の便宜上、前記実施形態にて説明した部材と同じ機能を有する部材については、同じ符号を付記し、その説明を省略する。
【０１６１】
（受信予約集計システム２０１）
図１９は、本発明の実施形態３に係る受信予約集計システム２０１の要部構成を示す機能ブロック図である。実施形態２では、放送番組の詳細情報をサーバ１１０が取得したが、本実施形態では、受信装置２２０が放送番組の詳細情報を取得する。なお、本実施形態におけるサーバ２１０は、実施形態１におけるサーバ１０と同等の機能を備えるため、詳細な説明は省略する。
【０１６２】
なお、本実施形態では、詳細情報を取得する構成について記載しているが、この構成に限定されず、詳細情報とともに番組基本情報を取得する構成であってもよいし、詳細情報に替えて番組基本情報を取得する構成であってもよい。この場合、本実施形態におけるサーバ２１０は、番組基本情報を受信装置２２０に出力せず、受信装置２２０は、番組情報が取得できる構成であればよい。
【０１６３】
（受信装置２２０）
受信装置２２０は、図１９に示すように、実施形態２における受信装置１２０の受信装置制御部１２２に替えて、受信装置制御部２２２を備える構成になっている。
【０１６４】
（受信装置制御部２２２）
受信装置制御部２２２は、図１９に示すように、実施形態２における受信装置制御部１２２の機能に加えて、番組詳細情報取得部（番組情報取得手段）２２３および番組詳細情報管理部（番組情報管理手段）２２４としても機能する。また、実施形態２における集計結果取得部１２１および表示制御部１２８の機能に替えて、それぞれ集計結果取得部（集計結果取得手段）２２１および表示制御部（表示手段）２２８としても機能する。
【０１６５】
集計結果取得部２２１は、受信装置通信部２１を制御し、受信装置通信部２１を介して集計結果情報を取得する。
【０１６６】
番組詳細情報取得部２２３は、集計結果情報に含まれる各放送番組情報が示す放送番組の詳細情報を、放送番組受信部２７から取得する。
【０１６７】
番組詳細情報管理部２２４は、番組詳細情報取得部２２３が取得した詳細情報を、集計結果情報に含まれる各放送番組情報に関連付けて管理する。
【０１６８】
表示制御部２２８は、表示部３４に表示する画像を示す画像信号を出力する。
【０１６９】
（受信予約集計システム２０１の処理の流れ）
図２０は、本発明の実施形態３に係る受信予約集計システム２０１における処理の流れを示すシーケンス図である。受信予約集計システム２０１の処理の流れについて、図２０を用いて説明する。
【０１７０】
受信装置２２０が放送番組を受信予約する旨を示す操作を受け付け、受信予約情報をサーバ２１０に出力し、サーバ２１０が集計結果情報を出力するステップＳ１〜ステップＳ６の処理については、上述した処理と同じであるため、説明を省略する。
【０１７１】
（ステップＳ２０）
受信装置２２０の集計結果取得部２２１は、受信装置通信部２１を介して集計結果情報を取得する。集計結果取得部２２１は、取得した集計結果情報を、表示制御部２２８および番組詳細情報取得部２２３に出力する。
【０１７２】
（ステップＳ２１）
番組詳細情報取得部２２３は、取得した集計結果情報に含まれる各放送番組情報が示す放送番組の詳細情報を、放送番組受信部２７から取得する。そして、番組詳細情報取得部２２３は、取得した各放送番組情報と詳細情報とを、番組詳細情報管理部２２４に出力する。番組詳細情報管理部２２４は、取得した取得した各放送番組情報と詳細情報とを関連付けて管理する。そして、番組詳細情報管理部２２４は、管理する各放送番組情報と詳細情報とを、表示制御部２２８に出力する。
【０１７３】
そして、表示制御部２２８が集計結果情報および詳細情報を取得し、集計結果情報が示す集計結果および詳細情報が示す放送番組に関する詳細な情報を示す画像信号を表示部２３に出力し、表示部２３が画像を表示する処理は上述したステップＳ１３と同じため、詳細な説明は省略する。
【０１７４】
なお、本実施形態では、受信装置２２０は、詳細情報を取得するステップＳ２１の後に、集計結果および詳細情報を表示するステップＳ１３の処理を行ったが、これに限定されない。例えば、受信装置２２０は、ステップＳ２０の後、取得した集計結果情報が示す集計結果を表示し、当該表示する処理と並行して、上述したステップＳ２１の処理を実行してもよい。また、例えば、図１３に示す集計結果画面１５０を表示している場合、詳細表示ボタン６１が選択する操作を受け付けると、ステップＳ２１の処理を実行する構成であってもよい。
【０１７５】
このように、本実施形態に係る受信予約集計システム２０１では、受信装置２２０が放送番組の詳細情報を取得する。そのため、受信予約集計システム２０１では、番組詳細情報記憶部を備えない構成であっても、放送番組の詳細情報をユーザに提示することができる。
【０１７６】
〔実施形態４〕
サーバ１０、サーバ１１０、サーバ２１０、受信装置２０、受信装置１２０、および受信装置２２０の制御ブロック（特にサーバ制御部１２、サーバ制御部１１２、受信装置制御部２２、受信装置制御部１２２、および受信装置制御部２２２は、集積回路（ＩＣチップ）等に形成された論理回路（ハードウェア）によって実現してもよいし、ＣＰＵ（Central Processing Unit）を用いてソフトウェアによって実現してもよい。
【０１７７】
後者の場合、サーバ１０、サーバ１１０、サーバ２１０、受信装置２０、受信装置１２０、および受信装置２２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１７８】
〔まとめ〕
本発明の態様１に係るサーバ（１０、１１０、２１０）は、放送番組を受信する受信装置（２０、１２０、２２０）が放送番組を受信予約した旨を示す受信予約情報を、当該受信装置から取得する受信予約情報取得手段（受信予約情報取得部１４）と、上記受信予約情報取得手段が取得した上記受信予約情報を参照し、放送予約単位ごとの受信予約数を集計する集計手段（集計部１５）と、を備える。
【０１７９】
上記の構成によれば、サーバは、放送番組を受信する受信装置から受信予約情報を取得し、取得した受信予約情報を参照して放送予約単位ごとの受信予約数を集計する。したがって、サーバは、放送番組を受信する受信装置から受信予約情報を取得できるので、従来に比べてより正確な受信予約数を集計することができる。
【０１８０】
本発明の態様２に係るサーバは、上記態様１において、上記集計手段が集計した集計結果を示す集計結果情報を出力する集計結果出力手段（出力部１７、１１７）をさらに備えてもよい。
【０１８１】
上記の構成によれば、サーバは、集計結果を示す集計結果情報を出力する。そのため、サーバは、集計結果をユーザに提示することができる。
【０１８２】
本発明の態様３に係るサーバは、上記態様２において、上記集計結果出力手段は、上記集計結果情報に含まれる各放送番組情報を、各放送番組情報の示す放送番組の受信予約数に応じて並び替えを行う第１の方法を用いて並び替えたものを出力してもよい。
【０１８３】
上記の構成によれば、サーバは、第１の方法を用いて、放送番組の受信予約数に応じて並び替えた集計結果情報を出力する。そのため、サーバは、受信予約数のランキングをユーザに提示することができる。
【０１８４】
本発明の態様４に係るサーバは、上記態様３において、上記集計結果出力手段は、さらに、上記集計結果情報に含まれる各放送番組情報を、上記第１の方法とは異なる第２の方法を用いて並び替えたものを出力してもよい。
【０１８５】
上記の構成によれば、サーバは、第１の方法とは異なる第２の方法を用いて並び替えた集計結果情報を出力する。そのため、サーバは、単なる受信予約数のランキングではなく、例えば正規化した受信予約数のランキングをユーザに提示することができる。
【０１８６】
本発明の態様５に係るサーバ（１１０）は、上記態様２〜４において、上記集計結果情報に含まれる各放送番組情報が示す放送番組の詳細情報を取得する詳細情報取得手段（番組詳細情報取得部１１３）と、上記詳細情報取得手段が取得した詳細情報を、上記集計結果情報に含まれる各放送番組情報に関連付けて管理する詳細情報管理手段（番組詳細情報管理部１１４）と、をさらに備えてもよい。
【０１８７】
上記の構成によれば、サーバは、集計結果情報に含まれる各放送番組情報が示す放送番組の詳細情報を取得する。そのため、サーバは、集計結果情報に含まれる各放送番組情報が示す放送番組の詳しい内容を取得することができる。
【０１８８】
本発明の態様６に係るサーバは、上記態様５において、上記詳細情報管理手段が各放送番組情報に関連付けて管理する上記詳細情報を出力する詳細情報出力手段（出力部１１７）をさらに備えてもよい。
【０１８９】
上記の構成によれば、サーバは、集計結果情報に含まれる各放送番組情報が示す放送番組の詳細情報を出力する。そのため、サーバは、集計結果情報に含まれる各放送番組情報が示す放送番組の詳細情報をユーザに提示することができる。
【０１９０】
本発明の態様７に係るサーバは、上記態様２〜６において、上記集計手段は、上記集計結果情報に含まれる各放送番組情報が示す放送番組が放送中の場合、当該放送番組が放送中であることを示す放送中情報を上記集計結果情報に含めてもよい。
【０１９１】
上記の構成によれば、サーバは、集計結果情報に、放送番組が放送中であることを示す放送中情報を含める。そのため、サーバは、ユーザに提示した集計結果に放送中の放送番組が含まれている場合、集計結果に放送中の放送番組があることをユーザに知らせることができる。
【０１９２】
本発明の態様８に係るサーバは、上記態様２〜７において、上記集計手段は、上記集計結果情報に含まれる各放送番組情報が示す放送番組が放送開始間近であることを示す放送開始情報を、当該放送番組の開始時刻の所定の時間前から集計結果情報に含めてもよい。
【０１９３】
上記の構成によれば、サーバは、集計結果情報に、放送番組が放送間近であることを示す放送開始情報を含める。そのため、サーバは、ユーザに提示した集計結果に放送間近の放送番組が含まれている場合、集計結果に放送間近の放送番組があることをユーザに知らせることができる。
【０１９４】
本発明の態様９に係るサーバは、上記態様２〜６において、上記集計手段は、上記受信予約情報が示す放送番組の開始時刻の所定の時間前から、当該放送番組を示す放送番組情報を集計結果情報に含めなくてもよい。
【０１９５】
上記の構成によれば、サーバは、集計結果情報に、放送番組の開始時刻の所定の時間前から、当該放送番組を示す放送番組情報を含めない。そのため、サーバは、受信予約不可能な放送番組が含まれない集計結果をユーザに提示することができる。
【０１９６】
本発明の態様１０に係るサーバは、上記態様１〜９において、上記受信予約情報は、上記放送番組を録画するための受信予約であるか、または上記放送番組を視聴するための受信予約であるか、を示す受信予約形式情報を含んでもよい。
【０１９７】
上記の構成によれば、サーバは、録画予約であるか視聴予約であるかを示す受信予約形式情報を含む受信予約情報を取得する。そのため、サーバは、録画予約ごと、視聴予約ごとの集計結果をユーザに提示することができる。
【０１９８】
本発明の態様１１に係るサーバは、上記態様２〜６において、上記受信予約情報を出力した受信装置を特定する受信装置特定手段（集計部１５）を更に備え、上記集計結果出力手段は、集計結果情報に含まれる放送番組情報に、上記受信装置特定手段によって特定された受信装置が受信予約している放送番組を示す放送番組情報が含まれている場合、当該特定された受信装置に対して、当該放送番組は受信予約済みであることを示す受信予約済情報をさらに出力してもよい。
【０１９９】
上記の構成によれば、サーバは、受信装置に集計結果情報を出力する際に、当該受信装置が既に受信予約した放送番組が集計結果に含まれる場合、その旨を示す受信予約済み情報をさらに受信装置に対して出力する。したがって、サーバは、集計結果情に含まれる放送番組の中に、既に受信装置が受信予約した放送番組があるか否かを提示することができる。
【０２００】
本発明の態様１２に係る受信予約集計方法は、放送番組を受信する受信装置が放送番組を受信予約した旨を示す受信予約情報を、当該受信装置から取得する受信予約情報取得工程と、上記受信予約情報取得工程において取得した上記受信予約情報を参照し、放送予約単位ごとの受信予約数を集計する集計工程と、を含んでもよい。
【０２０１】
上記の構成によれば、受信予約集計方法は、上記態様１に係るサーバと同等の効果を奏する。
【０２０２】
本発明の態様１３に係る受信予約集計システム（１、１０１、２０１）は、放送番組を受信する受信装置（２０、１２０、２２０）とサーバ（１０、１１０、２１０）とを備えた受信予約集計システムであって、上記受信装置は、上記放送番組を受信予約した旨を示す受信予約情報を上記サーバに出力する受信予約情報出力手段（受信予約情報出力部２４）を備え、上記サーバは、上記受信予約情報を、上記受信装置から取得する受信予約情報取得手段（受信予約情報取得部１４）と、上記受信予約情報取得手段が取得した受信予約情報を参照し、放送予約単位ごとの受信予約数を集計する集計手段（集計部１５）と、を備える。
【０２０３】
上記の構成によれば、受信予約集計システムは、上記態様１に係るサーバと同等の効果を奏する。
【０２０４】
本発明の態様１４に係る受信装置（２０、１２０、２２０）は、放送番組を受信する受信装置であって、上記放送番組を受信予約した旨を示す受信予約情報を出力する予約情報出力手段（受信予約情報出力部２４）を備える。
【０２０５】
上記の構成によれば、受信装置は、上記態様１２に係る受信予約集計システムの受信装置を実現することができる。
【０２０６】
本発明の態様１５に係る受信装置（１２０、２２０）は、上記態様１４において、上記予約情報出力手段が出力した上記受信予約情報を参照して生成された集計結果を示す集計結果情報を取得する集計結果取得手段（集計結果取得部１２１、２２１）と、上記集計結果取得手段が取得した上記集計結果情報が示す集計結果を表示する表示手段（表示制御部１２８、２２８）と、を備える。
【０２０７】
上記の構成によれば、受信装置は、上記態様１に係るサーバと同等の効果を奏する。
【０２０８】
本発明の態様１６に係る受信装置（１２０、２２０）は、放送番組を受信する受信装置であって、上記放送番組の受信予約数を放送予約単位ごとに集計した集計結果を示す集計結果情報を取得する集計結果取得手段（集計結果取得部１２１、２２１）と、上記集計結果取得手段が取得した上記集計結果情報に含まれる放送番組情報が示す放送番組を受信予約する旨を示す操作を受け付ける操作受付手段（操作受付部２５）と、上記操作受付手段が受け付けた操作が示す放送番組の受信予約を実行する受信予約手段（受信予約部２６）と、を備える。
【０２０９】
上記の構成によれば、受信装置は、集計結果を表示する画面において、放送番組の受信予約を受け付けることができる。
【０２１０】
本発明の態様１７に係る受信装置（１２０、２２０）は、上記態様１６において、上記受信予約手段は、放送番組の受信予約を実行する場合、当該放送番組は既に受信予約済みであるか否かを判定してもよい。
【０２１１】
上記の構成によれば、受信装置は、放送番組を受信予約する際、当該放送番組が既に受信予約済であるか否かを判定する。したがって、受信装置は、受信予約を受け付けた放送番組が既に受信予約済みであることを提示することができる。
【０２１２】
本発明の態様１８に係る受信装置（２２０）は、放送番組の受信予約数を集計した集計結果を示す集計結果情報を取得する集計結果取得手段（集計結果取得部２２１）と、上記集計結果取得手段が取得した集計結果情報に含まれる各放送番組情報が示す放送番組の番組情報を、放送波を介して取得する番組情報取得手段（番組詳細情報取得部２２３）と、上記番組情報取得手段が取得した番組情報を、上記集計結果情報に含まれる各放送番組情報に関連付けて管理する番組情報管理手段（番組詳細情報管理部２２４）と、を備える。
【０２１３】
上記の構成によれば、受信装置は、上記態様６に係るサーバと同等の効果を奏する。
【０２１４】
本発明の態様１９に係る受信装置は、上記態様１８において、上記集計結果取得手段は、上記集計結果情報に含まれる各放送番組情報が示す放送番組が放送中の場合、当該放送番組が放送中であることを示す放送中情報を上記集計結果情報に含めてもよい。
【０２１５】
上記の構成によれば、受信装置は、上記態様７に係るサーバと同等の効果を奏する。
【０２１６】
本発明の態様２０に係る受信装置は、上記態様１８または１９において、上記集計結果取得手段は、上記集計結果情報に含まれる各放送番組情報が示す放送番組が放送開始間近であることを示す放送開始情報を、当該放送番組の開始時刻の所定の時間前から集計結果情報に含めてもよい。
【０２１７】
上記の構成によれば、受信装置は、上記態様８に係るサーバと同等の効果を奏する。
【０２１８】
本発明の態様２１に係る受信装置は、上記態様１８において、上記集計結果取得手段は、上記集計結果情報に含まれる各放送番組情報が示す放送番組の開始時刻の所定の時間前から、当該放送番組を示す放送番組情報を集計結果情報に含めなくてもよい。
【０２１９】
上記の構成によれば、受信装置は、上記態様９に係るサーバと同等の効果を奏する。
【０２２０】
本発明の態様１に係るサーバ（１０、１１０、２１０）は、コンピュータによって実現してもよく、この場合には、コンピュータを上記サーバが備える各手段として動作させることにより上記サーバをコンピュータにて実現させるサーバの制御プログラム、およびそれを記録したコンピュータ読み取り可能な記録媒体も、本発明の範疇に入る。
【０２２１】
本発明の態様１４、１６、１７に係る受信装置（２０、１２０、２２０）は、コンピュータによって実現してもよく、この場合には、コンピュータを上記受信装置が備える各手段として動作させることにより上記受信装置をコンピュータにて実現させる受信装置の制御プログラム、およびそれを記録したコンピュータ読み取り可能な記録媒体も、本発明の範疇に入る。
【０２２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２２３】
本発明は、テレビジョン受像機、レコーダといった放送番組を受信する受信装置による受信予約を集計する受信予約集計システムに利用することができる。
【符号の説明】
【０２２４】
１、１０１、２０１    受信予約集計システム
２、１０２、２０２    ネットワーク
１０、１１０、２１０  サーバ
１１                  サーバ通信部
１２、１１２          サーバ制御部
１３                  番組基本情報記憶部
１４                  受信予約情報取得部（受信予約情報取得手段）
１５                  集計部（集計手段、受信装置特定手段）
１６                  番組基本情報取得部
１７、１１７          出力部（集計結果出力手段、詳細情報出力手段）
１１１                番組詳細情報記憶部
１１３                番組詳細情報取得部（詳細情報取得手段）
１１４                番組詳細情報管理部（詳細情報管理手段）
２０、１２０、２２０  受信装置
２１                  受信装置通信部
２２、１２２、２２２  受信装置制御部
２３                  表示部
２４                  受信予約情報出力部（受信予約情報出力手段）
２５                  操作受付部（操作受付手段）
２６                  受信予約部（受信予約手段）
２７                  放送番組受信部
２８、１２８、２２８  表示制御部（表示手段）
１２１                集計結果取得部（集計結果取得手段）
２２３                番組詳細情報取得部（番組情報取得手段）
２２４                番組詳細情報管理部（番組情報管理手段）
４０                  ＨＤＤ
４１                  放送番組記憶部
【図１】
2015220647.tif 000003
【図２】
2015220647.tif 000004
【図３】
2015220647.tif 000005
【図４】
2015220647.tif 000006
【図５】
2015220647.tif 000007
【図６】
2015220647.tif 000008
【図７】
2015220647.tif 000009
【図８】
2015220647.tif 000010
【図９】
2015220647.tif 000011
【図１０】
2015220647.tif 000012
【図１１】
2015220647.tif 000013
【図１２】
2015220647.tif 000014
【図１３】
2015220647.tif 000015
【図１４】
2015220647.tif 000016
【図１５】
2015220647.tif 000017
【図１６】
2015220647.tif 000018
【図１７】
2015220647.tif 000019
【図１８】
2015220647.tif 000020
【図１９】
2015220647.tif 000021
【図２０】
2015220647.tif 000022